(57)【要約】【課題】  ディスプレイ全体の表示面の形状を、その時々の表示用途に応じた適切な画面形状に変化させることができるとともに、本体の小型化が容易で、しかも本体を小型化しても必要な表示面積を充分に確保できる携帯通信端末のディスプレイ装置を提供する。【解決手段】  複数枚の薄型ディスプレイ１３のそれぞれの一つの角部同士が連結用ヒンジ１４により連結されているとともに、他の角部が第２本体２に設けられたレール１１に沿って摺動することで、複数枚の薄型ディスプレイ１３の互いの連結姿勢が変形するようになっている。これら薄型ディスプレイ１３は所定の連結姿勢にすることにより、第２本体２の開閉に伴い第１本体１に対して開閉するようになっている。【選択図】  図１
2006129017.tif 000002
【特許請求の範囲】
【請求項１】
複数枚の薄型ディスプレイ同士を、互いの連結姿勢を変形できるように連結用ヒンジにより連結するとともに、これらを所定の連結姿勢にして携帯通信端末本体に対し同時に開閉できるように該携帯通信端末本体に開閉自在に装着したことを特徴とする携帯通信端末のディスプレイ装置。
【請求項２】
携帯通信端末本体が、第１本体とこれに対して開閉自在な第２本体とで構成され、複数枚の薄型ディスプレイが連結姿勢を変形できるように第２本体に摺動自在に装着され、複数枚の薄型ディスプレイが第２本体の開閉に伴い第１本体に対して開閉するようになっていることを特徴とする請求項１に記載のディスプレイ装置。
【請求項３】
複数枚の薄型ディスプレイのそれぞれの一つの角部同士が連結用ヒンジにより連結されているとともに、他の角部が第２本体に設けられたレールに沿って摺動することで、複数枚の薄型ディスプレイの互いの連結姿勢が変形するようになっていることを特徴とする請求項２に記載のディスプレイ装置。
【請求項４】
薄型ディスプレイの異なる複数箇所に、連結姿勢を変形することで第２本体側の端子と電気接続される端子が設けられていることを特徴とする請求項２又は３に記載のディスプレイ装置。
【請求項５】
開いたときの第２本体が複数枚の薄型ディスプレイを支える受け台を兼ねることを特徴とする請求項２、３又は４に記載のディスプレイ装置。
【請求項６】
複数枚の薄型ディスプレイの連結姿勢を変形する際のガイドが第２本体に設けられていることを特徴とする請求項５に記載のディスプレイ装置。
【請求項７】
複数枚の薄型ディスプレイに摘み部が設けられていることを特徴とする請求項１〜６のいずれかに記載のディスプレイ装置。
【発明の詳細な説明】
【技術分野】
【０００１】
本発明は、携帯電話端末や携帯情報端末等であって、特に小型の携帯通信端末に好適なディスプレイ装置に関する。
【背景技術】
【０００２】
特許文献１（実開平６−６２６５７号公報）には、携帯電話機をペンシル型として、そのペンシル状本体の周面に小さいディスプレイ部を形成した携帯電話機が開示されている。
しかし、これによると、ディスプレイ部の表示面積がペンシル状本体の周面の一部分に限定され、小さすぎて非常に見づらい。
【０００３】
特許文献２（特開平７−２４０７７６号公報）には、キーを電話機本体の長手方向に並べて配列するとともに、表示盤を縦長としてキー列と平行にして電話機本体に設けた携帯電話機が開示されている。
しかし、これによると、表示盤の面積が固定され、しかもその幅が電話機本体の全体厚さの半分以下に制約される。
【０００４】
特許文献３（特開２０００−１８４０２６号公報）には、本体と、これに対して折り畳み自在なフロントパネルとにそれぞれディスプレイを設け、フロントパネルを開いたときに、そのディスプレイ面と本体側のディスプレイ面とが連続するようにするとともに、さらに第３のディスプレイを本体に対し収納・引き出し自在に装着した携帯用通信装置が開示されている。
しかし、これによると、第３のディスプレイを引き出すと、全体としてのディスプレイ面が３面連続形態に拡大できるものの、本体の小型化は期待できない。
【０００５】
特許文献４（特開２００３−１０１９０９号公報）には、折り畳み可能なスクリーンを本体の外側に装着し、本体側の投射装置からの投射画像を、展開したスクリーン上に拡大して投影できるようにした携帯型電子装置が開示されている。
しかし、これによると、本体側に特殊な投射装置を具備しなければならないので、高価になるとともに、限られた範囲での投影であるため、表示品質が悪くなる。
【特許文献１】実開平６−６２６５７号公報
【特許文献２】特開平７−２４０７７６号公報
【特許文献３】特開２０００−１８４０２６号公報
【特許文献４】特開２００３−１０１９０９号公報
【発明の開示】
【発明が解決しようとする課題】
【０００６】
本発明の第１の課題は、ディスプレイ全体の表示面の形状を、その時々の表示用途に応じた適切な画面形状に変化させることができるとともに、本体の小型化が容易で、しかも本体を小型化しても必要な表示面積を充分に確保できる携帯通信端末のディスプレイ装置を提供することにある。
【０００７】
本発明の更なる課題は、ディスプレイ全体の表示面の形状を容易に変形できるようにすること、その変形に拘わらず適切な表示を行えるようにすること、ディスプレイの本体への収納性を良くすること、ディスプレイを本体に対し展開したときの安定性を良くすること等である。
【課題を解決するための手段】
【０００８】
上記の第１の課題を達成するため、本発明による携帯通信端末のディスプレイ装置は、複数枚の薄型ディスプレイ同士を、互いの連結姿勢を変形できるように連結用ヒンジにより連結するとともに、これらを所定の連結姿勢にして携帯通信端末本体に対し同時に開閉できるように該携帯通信端末本体に開閉自在に装着したことを特徴とする。
【０００９】
これを基本構成として、次のような形態にすることで上記の更なる課題を達成することができる。
携帯通信端末本体が、第１本体とこれに対して開閉自在な第２本体とで構成され、複数枚の薄型ディスプレイが連結姿勢を変形できるように第２本体に摺動自在に装着され、複数枚の薄型ディスプレイが第２本体の開閉に伴い第１本体に対して開閉するようになっている。
【００１０】
複数枚の薄型ディスプレイのそれぞれの一つの角部同士が連結用ヒンジにより連結されているとともに、他の角部が第２本体に設けられたレールに沿って摺動することで、複数枚の薄型ディスプレイの互いの連結姿勢が変形するようになっている。
【００１１】
薄型ディスプレイの異なる複数箇所に、連結姿勢を変形することで第２本体側の端子と電気接続される端子が設けられている。
【００１２】
開いたときの第２本体が複数枚の薄型ディスプレイを支える受け台を兼ねる。
さらに、複数枚の薄型ディスプレイの連結姿勢を変形する際のガイドが第２本体に設けられている
複数枚の薄型ディスプレイに摘み部が設けられている。
【発明の効果】
【００１３】
本発明によれば、複数枚の薄型ディスプレイ同士がそれらの連結姿勢を変形できるようになっているとともに、所定の連結姿勢にすることにより携帯通信端末本体に対し開閉自在であるため、複数枚の薄型ディスプレイによる複数の表示面を横並び、縦並び、斜め立ちなど、その時々の表示用途に応じた適切な画面形状に変化させることができる。また、本体の小型化が容易で、しかも本体を小型化しても必要な表示面積を充分に確保できる。
【００１４】
請求項２に係る発明のように、携帯通信端末本体が、第１本体とこれに対して開閉自在な第２本体とで構成され、複数枚の薄型ディスプレイが連結姿勢を変形できるように第２本体に摺動自在に装着され、複数枚の薄型ディスプレイが第２本体の開閉に伴い第１本体に対して開閉するようになっていると、薄型ディスプレイを本体で保護して携帯通信端末全体をコンパクトにまとめて携帯できる。また、複数枚の薄型ディスプレイの開閉を特別な機構を用いずに単純な構造で実現できる。
【００１５】
請求項３に係る発明のように、複数枚の薄型ディスプレイのそれぞれの一つの角部同士が連結用ヒンジにより連結されているとともに、他の角部が第２本体に設けられたレールに沿って摺動することで、複数枚の薄型ディスプレイの互いの連結姿勢が変形するようになっていると、複数枚の薄型ディスプレイによる複数の表示面の変形を容易に行える。
【００１６】
請求項４に係る発明のように、薄型ディスプレイの異なる複数箇所に、連結姿勢を変形することで第２本体側の端子と電気接続される端子を設けると、複数の表示面の変形に応じた適切な表示を行える。
【００１７】
請求項５に係る発明のように、開いたときの第２本体が複数枚の薄型ディスプレイを支える受け台を兼ねるようにすると、薄型ディスプレイを安定した状態で使用できるとともに、専用の受け台が不要である。
【００１８】
請求項６に係る発明のように、複数枚の薄型ディスプレイの連結姿勢を変形する際のガイドを第２本体に設けると、薄型ディスプレイの連結姿勢をスムーズに変形できる。
【００１９】
請求項７に係る発明のように、複数枚の薄型ディスプレイに摘み部を設けると、薄型ディスプレイの開閉操作及び連結姿勢の変形操作を摘み部を摘んで動かす一動作で容易に行える。
【発明を実施するための最良の形態】
【００２０】
次に、本発明の実施例を図面に基づいて詳細に説明する。
【実施例】
【００２１】
本実施例は、本発明をペン型携帯電話機として具体化したもので、図１〜図３に示すように、その本体は、ペン型（円柱形）の第１本体１と、その蓋になる第２本体２とで構成されている。
【００２２】
第１本体１は、その両端部を残して平らに欠如した凹所３を形成し、この凹所３の平面に所要数のキー（ボタン）４を例えば一列に配設している。また、第１本体１の一端部にはレシーバ孔５及びカメラ６（図２参照）が設けられ、他端部にはマイク孔７及び多機能ダイヤル８が設けられている。
【００２３】
第２本体２は、第１本体１の凹所３内に収まる形状で、図４に示すように、第２本体２の一側縁の両端に突出している雄側の回転継手９を、凹所３の一側縁の両端に形成されている雌側の回転継手１０と係合させることにより、第２本体２は第１本体１に対して開閉自在に蝶着されている。
【００２４】
第２本体２の一側縁には、両端の回転継手９の間に凹溝であるレール１１が形成されているとともに、第２本体２の平らな内面には、曲線を描く２つのガイド溝１２が向きを対称にして設けられている。
【００２５】
このような第２本体２の平らな内面側に、液晶や有機ＥＬ等による２枚の長方形の薄型ディスプレイ１３が次のように装着されている。
２枚の薄型ディスプレイ１３同士は、その一つの角部を連結用ヒンジ１４にて同一平面上で相対回動自在に連結され、また個々の薄型ディスプレイ１３は、他の角部が第２本体２のレール１１に対し摺動自在となっているとともに、個々の薄型ディスプレイ１３の背面に突出したガイド突起１５を、第２本体２の２つのガイド溝１２にそれぞれ摺動自在に嵌合させてある。
【００２６】
従って、２枚の薄型ディスプレイ１３は、図５に示すように、個々の角部をレール１１に沿って摺動させるとともに、個々のガイド突起１５をガイド溝１２に沿って摺動させながら、連結用ヒンジ１４において相対回動させると、図６（Ｂ）に示すように互いに横並びとなる連結姿勢から、図６（Ｃ）に示すように互いに逆Ｖ状の斜め立ちとなる連結姿勢へ、さらに図６（Ｄ）に示すように互いに縦並びとなる連結姿勢へと、開いている第２本体２を受け台として自在に変形させることができる。
【００２７】
その変形操作を容易に行えるように、各薄型ディスプレイ１３の側縁には、連結用ヒンジ１４とは反対側に摘み部１６が突出形成されている。また、上記のように３様に変形させても、第２本体２との間での電気導通を行えるように、図７及び図８に示すように各薄型ディスプレイ１３の側縁の複数箇所に、第２本体２側の金属製端子１７と接触する金属製端子１８が設けられている。これら端子１７・１８の接触・不接触を電気的に検出してソフトウェアにて監視することにより、２枚の薄型ディスプレイ１３がどのような連結姿勢になっているかを認識できるので、それぞれの連結姿勢に応じた画面表示（文字や画像などの向きを自動調整）にすることができる。
【００２８】
２枚の薄型ディスプレイ１３は、図６（Ｂ）に示すような横並びの連結姿勢のとき、第２本体２の平らな内面に沿ってその領域内に収まるので、図６（Ａ）に示すように、この状態で第２本体２を第１本体１に対して閉じることにより、それに伴い２枚の薄型ディスプレイ１３も第１本体１に対して閉じた状態となり、第１本体１と第２本体２とで挟まれて凹所３内に収納される。このとき、２枚の薄型ディスプレイ１３の摘み部１６のみは凹所３外へ突出するので、これらの摘み部１６は、第２本体２を開閉操作する摘みも兼ねることになる。そこで、摘み部１６にマグネットやフックなどを設けると、第２本体２をロックすることが可能である。
【００２９】
一方、第２本体２を開くと、２枚の薄型ディスプレイ１３も第１本体１に対して開いた展開状態となり、その連結姿勢を上記のように３様に変形できることになる。横並びの連結姿勢のときは、合わせた画面が横長となるので、文章表示に適し、縦並びの連結姿勢のときは、合わせた画面が従来の携帯電話機の画面サイズが大きいものと同程度になるので、インタネット検索やＥ−ｍａｉｌ作成などの文章と画像を同時に表示するのに適し、互いに逆Ｖ状の斜め立ちの連結姿勢のときは、２つの画面表示を対照させるのに適する。
【産業上の利用可能性】
【００３０】
以上、本発明をペン型携帯電話機に適用した実施例について説明したが、その形状はペン型に限られるものではなく、また薄型ディスプレイが３枚以上であっても同様に適用でき、さらに携帯電話機に限らず携帯情報端末などの他の携帯通信端末にも適用できる。
【図面の簡単な説明】
【００３１】
【図１】本発明の一実施例の開いた状態での斜視図である。
【図２】その背面斜視図である。
【図３】閉じた状態での斜視図である。
【図４】分解斜視図である。
【図５】２枚の薄型ディスプレの連結姿勢の変化を示す推移図で、（Ａ）はこれら薄型ディスプレのみを示す図、（Ｂ）は第２本体との関係図、（Ｃ）はその詳細図である。
【図６】閉じた状態からの変化を（Ａ）から（Ｄ）の順に示す斜視図である。
【図７】薄型ディスプレに設けられた端子の配置図を（Ａ）は平面、（Ｂ）は側面で示す図である。
【図８】第２本体側の端子との関係を示す斜視図である。
【符号の説明】
【００３２】
１  第１本体
２  第２本体
３  凹所
４  キー
５  レシーバ孔
６  カメラ
７  マイク孔
８  多機能ダイヤル
９  雄側の回転継手
１０  雌側の回転継手
１１  レール
１２  ガイド溝
１３  薄型ディスプレイ
１４  連結用ヒンジ
１５  ガイド突起
１６  摘み部
１７・１８  端子
【図１】
2006129017.tif 000003
【図２】
2006129017.tif 000004
【図３】
2006129017.tif 000005
【図４】
2006129017.tif 000006
【図５】
2006129017.tif 000007
【図６】
2006129017.tif 000008
【図７】
2006129017.tif 000009
【図８】
2006129017.tif 000010